(57)【特許請求の範囲】
【請求項１】
第１の基地局と、
第２の基地局と、
前記第１の基地局と異なる第３の基地局と、
ユーザ機器と、を備える無線通信システムにおいて、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、
前記ユーザ機器が前記第３の基地局との前記無線データ接続の接続に失敗した場合、前記ユーザ機器は第１の接続失敗情報により前記第１の基地局に通知する、ことを特徴とする無線通信システム。
【請求項２】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１に記載の無線通信システム。
【請求項３】
前記第１の基地局及び前記第３の基地局は異なるキャリアを介して前記ユーザ機器に無線データ接続される、請求項１に記載の無線通信システム。
【請求項４】
元の前記第２の基地局に提供される前記データ通信の一部は、前記第３の基地局に移行され、
前記移行過程は、元の前記第２の基地局に提供される前記データ通信の一部を前記第１の基地局にも移行させる、ことを特徴とする請求項１に記載の無線通信システム。
【請求項５】
前記トリガノードは、前記第１の基地局又は前記第２の基地局であることを特徴とする請求項１に記載の無線通信システム。
【請求項６】
前記トリガノードは、受信した前記第２の基地局のサービスキャリアに関する移動性測定結果により前記予定移行条件を満足したと判定する場合、前記第３の基地局に移行要求を送信し、前記第３の基地局は、前記移行要求により第１の受付制御を実行し、且つ前記第１の受付制御の結果を通知するように前記第１の基地局及び／又は第２の基地局に移行応答を送信し、前記移行応答は、前記第３の基地局が前記ユーザ機器のどの部分の無線ベアラに対して通信可能か、前記第３の基地局に対する同期アクセスに所要の専用プリアンブル、前記ユーザ機器と前記第３の基地局との通信キャリアのシステム情報、及び前記ユーザ機器と前記第３の基地局との通信を確立するための制御向けプロトコルの構成情報の中の少なくとも１つを含むことを特徴とする請求項１に記載の無線通信システム。
【請求項７】
前記第１、第２及び第３の基地局のデータが、前記移行過程をトリガする前及び終了した後に、何れもコアネットワークから直接にルーティングして来た場合、前記第２の基地局は、前記第３の基地局に受付可能な第１の無線ベアラのデータを前記第３の基地局にフォワーディングするように、第１の受付制御の結果によりデータフォワーディング操作を実行し、さらに、前記第１の基地局に受付可能な第２の無線ベアラのデータを前記第１の基地局にフォワーディングするように、第２の受付制御の結果によりデータフォワーディング操作を実行し、前記第１の基地局又は前記第２の基地局は、前記第２の無線ベアラに対応するパスを前記第１の基地局に切り替えることをコアネットワークに通知することを特徴とする請求項１に記載の無線通信システム。
【請求項８】
前記第２の基地局のデータが前記第１の基地局からフォワーディングされて来たものである場合、前記第１の基地局は、第１の受付制御の確認又は第２の受付制御を終了した後、前記第２の基地局へのデータ転送を停止し、
前記第２の基地局は、前記第３の基地局に受付可能な第１の無線ベアラのデータを前記第３の基地局にフォワーディングするように、前記第１の受付制御の結果により、データフォワーディング操作を実行し、前記第１の基地局に受付可能な第２の無線ベアラのデータを前記第１の基地局にフォワーディングするように、前記第２の受付制御の結果により、データフォワーディング操作を実行することを特徴とする請求項１に記載の無線通信システム。
【請求項９】
第１の基地局、第２の基地局、前記第１の基地局と異なる第３の基地局及びユーザ機器を備え、前記第１の基地局及び前記第２の基地局が異なるキャリアを介して前記ユーザ機器に無線データ接続される無線通信システムに用いる方法であって、
トリガノードにより、前記第２の基地局から前記ユーザ機器へ提供するデータ通信を前記第３の基地局に移行する予定移行条件を満足したか否かを判定する判定ステップと、
前記予定移行条件を満足したと判定する場合、移行過程をトリガし、これにより、前記ユーザ機器は前記第２の基地局との無線データ接続が解放され、前記第３の基地局との無線データ接続が確立され、前記第１の基地局及び前記第３の基地局は異なるキャリアを介して前記ユーザ機器に無線データ接続され、元の前記第２の基地局に提供されるサービスの少なくとも一部が前記第３の基地局に移行されるトリガステップと、を備え、
前記ユーザ機器が前記第３の基地局との前記無線データ接続の接続に失敗した場合、前記ユーザ機器は第１の接続失敗情報により前記第１の基地局に通知する、ことを特徴とする方法。
【請求項１０】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項９に記載の方法。
【請求項１１】
前記トリガノードは、受信した前記第２の基地局のサービスキャリアに関する移動性測定結果により、前記予定移行条件を満足したと判定する場合、前記第３の基地局に移行要求を送信し、前記第３の基地局は、前記移行要求により、第１の受付制御を実行し、且つ前記第１の受付制御の結果を通知するように移行応答を前記第１の基地局及び／又は第２の基地局に送信し、前記移行応答は、前記第３の基地局が前記ユーザ機器のどの部分の無線ベアラに対して通信可能か、前記第３の基地局に対する同期アクセスに所要の専用プリアンブル、前記ユーザ機器と前記第３の基地局との通信キャリアのシステム情報、及び前記ユーザ機器と前記第３の基地局との間の通信を確立するための制御向けプロトコルの構成情報の中の少なくとも１つを含むことを特徴とする請求項９に記載の方法。
【請求項１２】
第１の基地局と、第２の基地局と、前記第１の基地局と異なる第３の基地局と、を有する通信システムにおけるユーザ機器であって、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、前記第１の基地局及び前記第３の基地局は異なるキャリアを介して前記ユーザ機器に無線データ接続され、
前記ユーザ機器が前記第３の基地局との前記無線データ接続の接続に失敗した場合、前記ユーザ機器は第１の接続失敗情報により前記第１の基地局に通知する、ユーザ機器。
【請求項１３】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１２に記載のユーザ機器。
【請求項１４】
第１の基地局と、第２の基地局と、前記第１の基地局と異なる第３の基地局と、ユーザ機器と、を有する通信システムにおける基地局であって、
前記第１の基地局及び前記第２の基地局は、異なるキャリアを介して前記ユーザ機器に無線データ接続され、
トリガノードは、前記第２の基地局から前記ユーザ機器に提供するデータ通信を前記第３の基地局に移行する予定移行条件を満足したと判定する場合に、移行過程をトリガし、これにより、前記ユーザ機器は前記第２の基地局との無線データ接続が解放され、前記第３の基地局との無線データ接続が確立され、元の前記第２の基地局に提供されるサービスの少なくとも一部は前記第３の基地局に移行され、前記第１の基地局及び前記第３の基地局は異なるキャリアを介して前記ユーザ機器に無線データ接続され、
前記ユーザ機器が前記第３の基地局との前記無線データ接続の接続に失敗した場合、前記ユーザ機器は第１の接続失敗情報により前記第１の基地局に通知し、
前記基地局は、前記第１の基地局、前記第２の基地局および前記第３の基地局のうちのいずれかとして動作するように構成される、基地局。
【請求項１５】
前記ユーザ機器が第１の接続失敗情報により前記第１の基地局に通知した後、前記第１の基地局は、第２の接続失敗情報により前記第２の基地局および前記第３の基地局に通知し、前記第２の接続失敗情報は、前記ユーザ機器が前記第３の基地局との前記無線データ接続の接続に失敗したことを知らせる、請求項１４に記載の基地局。
【発明の詳細な説明】
【技術分野】
【０００１】
本発明は電子デバイスに関する。
【背景技術】
【０００２】
現在では、無線通信システムにおいて、ユーザ機器が異なるキャリアを介して複数の基地局と同時に無線データ接続する技術は業界に広く検討されているが、特定シナリオに対する解決案はまだ提供されていない。
【０００３】
以下は、本発明の一部の方面を基本的に理解させるために、本発明の概要を論述する。但し、この概略な論述は、本発明の包括的な論述ではなく、本発明の肝心な部分や重要な部分を確定するものではないとともに、本発明の範囲を限定するものでもなく、本発明の一部の概念を簡単に表せるためだけであり、後続のさらに詳しい説明の前文に過ぎない。
【発明の概要】
【０００４】
これに鑑み、本発明の目的は、複数の基地局が異なるキャリアを介してユーザ機器に同時に無線データ接続する無線通信システムにおいて、特定の条件を満足したとき、その一部の基地局との無線ベアラ（radio  bearer）の一部又は全部を他の基地局に移行するようにユーザ機器をトリガすることを実現することができる無線通信システム及び無線通信システムに用いる方法を提供することにある。これにより、ユーザ機器が基地局から満足的なサービス品質が得られ、アップ・ダウンリンクデータの伝送效率が効果的に向上される。
【０００５】
本発明の一態様によれば、第１の基地局と、第２の基地局と、第３の基地局と、ユーザ機器とを備える無線通信システムにおいて、第１の基地局及び第２の基地局は異なるキャリアを介してユーザ機器に無線データ接続され、トリガノードは、第２の基地局からユーザ機器へ提供するサービスを第３の基地局に移行する予定移行条件を満足したと判定する場合、移行過程をトリガし、これにより、ユーザ機器は第２の基地局との無線データ接続が解放され、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行される無線通信システムが提供される。
【０００６】
本発明の好ましい実施例によれば、移行過程により、元の第２の基地局に提供されるサービスの一部が第１の基地局に移行される。
【０００７】
本発明の他の好ましい実施例によれば、トリガノードは、第１の基地局であっても第２の基地局であってもよい。
【０００８】
本発明の他の好ましい実施例によれば、トリガノードは、受信した第２の基地局のサービスキャリアに関する移動性測定結果により、予定移行条件を満足したと判定する場合、第３の基地局に移行要求を送信し、第３の基地局は、移行要求により、第１の受付制御を実行し、第１の受付制御の結果を通知するように第１の基地局及び／又は第２の基地局に移行応答を送信し、該移行応答は、第３の基地局がユーザ機器のどの部分の無線ベアラに対して通信可能か、第３の基地局に対する同期アクセスに所要の専用プリアンブル、ユーザ機器と第３の基地局との通信キャリアのシステム情報、及びユーザ機器と第３の基地局との間の通信を確立するための制御向けプロトコルの構成情報の中の少なくとも１つを含む。
【０００９】
本発明の他の好ましい実施例によれば、第１の受付制御の結果は、第３の基地局がユーザ機器と第２の基地局との間の全無線ベアラを受け付けられないことを示すと、第３の基地局からの移行応答、或いは第２の基地局を介して第１の基地局へ転送する第３の基地局からの移行応答に応じて、第１の基地局は、第１の受付制御の結果により、第２の受付制御を実行し、第２の受付制御の結果を第２の基地局に通知する。
【００１０】
本発明の他の好ましい実施例によれば、第１の基地局又は第２の基地局は、第１の受付制御又は第２の受付制御の最終結果を知った後、最終結果及び第３の基地局のフィードバック情報により、ユーザ機器に移行過程を実行させる通知メッセージをユーザ機器に通知し、該通知メッセージは、第１の基地局がユーザ機器のどの部分の無線ベアラに通信可能か、第３の基地局がユーザ機器のどの部分の無線ベアラに通信可能か、第３の基地局に対する同期アクセスに所要の専用プリアンブル、ユーザ機器と第３の基地局との通信キャリアのシステム情報、及びユーザ機器と第３の基地局との間の通信を確立するための制御向けプロトコルの構成情報の中の少なくとも１つを含み、ユーザ機器は、通知メッセージを受信した後、第１の基地局及び第３の基地局に受け付けられない無線ベアラを解放するとともに、第２の基地局との無線データ接続を解放し、第３の基地局に対する同期アクセス操作を実行する。
【００１１】
本発明の他の実施例によれば、第１、第２及び第３の基地局のデータが、移行過程をトリガする前及び終了した後にともにコアネットワークから直接にルーティングして来たものである場合、第２の基地局は、第３の基地局に受付可能な第１の無線ベアラのデータを第３の基地局にフォワーディングするように、第１の受付制御の結果により、データフォワーディング（data  forwarding）操作を実行し、第１の基地局に受付可能な第２の無線ベアラのデータを第１の基地局にフォワーディングするように、第２の受付制御の結果によりデータフォワーディング操作を実行し、第１の基地局又は第２の基地局は、第２の無線ベアラに対応するパスを第１の基地局に切り替えることをコアネットワークに通知する。
【００１２】
好ましくは、ユーザ機器から第３の基地局に対する同期アクセスが成功すると、第３の基地局は、第１の無線ベアラに対応するパスを第３の基地局に切り替えることをコアネットワークに通知し、逆に、ユーザ機器から第３の基地局に対する同期アクセスが失敗すると、ユーザ機器は第１の基地局に通知し、第１の基地局は、第３の受付制御を経た後、第１の無線ベアラにおける第１の基地局に受付可能な第３の無線ベアラのデータを第１の基地局にフォワーディングするように第２の基地局及び第３の基地局に通知し、第３の無線ベアラに対応するパスを第１の基地局に切り替えるとともに第１の無線ベアラにおける第１の基地局に受け付けられない無線ベアラに対応するコアネットワークベアラを解放することをコアネットワークに通知し、第１の無線ベアラにおける第１の基地局に受け付けられない無線ベアラを解放することをユーザ機器に通知する。
【００１３】
本発明の他の好ましい実施例によれば、第２の基地局のデータが第１の基地局からフォワーディングして来たものである場合、第１の基地局は、第１の受付制御の確認又は第２の受付制御を終了した後、第２の基地局へのデータ転送を停止し、第２の基地局は、第３の基地局に受付可能な第１の無線ベアラのデータを第３の基地局にフォワーディングするように、第１の受付制御の結果により、データフォワーディング操作を実行し、第１の基地局に受付可能な第２の無線ベアラのデータを第１の基地局にフォワーディングするように、第２の受付制御の結果により、データフォワーディング操作を実行する。
【００１４】
好ましくは、第１の基地局は、第１の受付制御の確認を終了した後、第１の無線ベアラのデータを第３の基地局にフォワーディングするようにデータフォワーディング操作を実行し、或いは、第１の基地局は、ユーザ機器から第３の基地局に対する同期アクセスが成功したメッセージを受信した後、第１の無線ベアラのデータを第３の基地局にフォワーディングするようにデータフォワーディング操作を実行する。
【００１５】
好ましくは、ユーザ機器から第３の基地局に対する同期アクセスが失敗すると、ユーザ機器は第１の基地局に通知し、第１の基地局は、第３の基地局へのデータ転送を停止し、且つ第３の受付制御を終了した後、第１の無線ベアラにおける第１の基地局に受付可能な第３の無線ベアラのデータを第１の基地局にフォワーディングするとともに第１の無線ベアラにおける第１の基地局に受け付けられない無線ベアラを解放するように第２の基地局及び第３の基地局に通知し、第１の無線ベアラにおける第１の基地局に受け付けられない無線ベアラを解放することをユーザ機器に通知する。
【００１６】
また、好ましくは、第３の基地局のデータは、移行過程のトリガを終了した後にコアネットワークから直接にルーティングして来たものであるとともにユーザ機器から第３の基地局に対する同期アクセスが成功すると、第３の基地局は、第１の無線ベアラのデータを第３の基地局に直接にルーティングするように第３の基地局に受付可能な第１の無線ベアラに対応するコアネットワークベアラを修正することをコアネットワークにさらに通知する。
【００１７】
本発明の他の好ましい実施例によれば、第１の基地局のデータが、第２の基地局からフォワーディングして来たものである場合、第２の基地局は、第３の基地局に受け付けられる第１の無線ベアラのデータを第３の基地局にフォワーディングするように、第１の受付制御の結果により、データフォワーディング操作を実行し、第２の受付制御の結果により、第１の基地局に受付可能な第２の無線ベアラのデータを第１の基地局にフォワーディングするようにデータフォワーディング操作を実行する。
【００１８】
好ましくは、ユーザ機器から第３の基地局に対する同期アクセスが成功すると、第３の基地局は、コアネットワークから第２の基地局へ伝送するデータを第３の基地局に直接にルーティングするように、パス切替を実行するようにコアネットワークをトリガし、パス切替を終了した後、第３の基地局は、第１の基地局を介して伝送するダウンリンクベアラのデータを第１の基地局に転送し始め、第２の基地局は、データフォワーディング操作を終了した後、ユーザ機器及びそのサービスに関連する情報を解放する。
【００１９】
好ましくは、ユーザ機器から第３の基地局に対する同期アクセスが失敗すると、ユーザ機器は第１の基地局に通知し、第１の基地局は、第３の受付制御を経た後、第２の基地局を介して第１の無線ベアラにおける第１の基地局に受付可能な第３の無線ベアラのデータ及び第１の基地局の固有サービスのデータを第１の基地局に転送するように第２の基地局及び第３の基地局とともにユーザ機器に通知し、且つ第２の基地局は、該失敗を知った後、第３の基地局へのデータ転送を停止する。
【００２０】
好ましくは、ユーザ機器から第３の基地局に対する同期アクセスが失敗すると、第１の基地局は、第３の受付制御を終了した後、第１の基地局又は第２の基地局は、第２の基地局を介して第１の基地局にフォワーディングするデータに対応するパスを第１の基地局に切り替えるとともに、第１の無線ベアラにおける第１の基地局に受け付けられない無線ベアラに対応するコアネットワークベアラを解放することをコアネットワークに通知し、第１の無線ベアラにおける第１の基地局に受け付けられない無線ベアラを解放することをユーザ機器に通知する。
【００２１】
本発明の他の態様によれば、第１の基地局、第２の基地局、第３の基地局及びユーザ機器を備え、第１の基地局及び第２の基地局が異なるキャリアを介してユーザ機器に無線データ接続される無線通信システムに用いる方法であって、トリガノードにより、第２の基地局からユーザ機器へ提供するサービスを第３の基地局に移行する予定移行条件を満足したか否かを判定する判定ステップと、予定移行条件を満足したと判定する場合、移行過程をトリガし、これにより、ユーザ機器は第２の基地局との無線データ接続が解放させ、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行されるトリガステップとを備える無線通信システムに用いる方法が提供される。
【００２２】
本発明のさらに他の方面によれば、記憶媒体が提供される。該記憶媒体は、機械可読なプログラムコードを備え、情報処理装置にてプログラムコードを実行する場合、該プログラムコードにより、情報処理装置は、トリガノードにより、第２の基地局からユーザ機器へ提供するサービスを第３の基地局に移行する予定移行条件を満足したか否かを判定する判定ステップと、予定移行条件を満足したと判定する場合、移行過程をトリガし、これにより、ユーザ機器は第２の基地局との無線データ接続が解放され、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行されるトリガステップと、を実行し、第１の基地局、第２の基地局、第３の基地局及びユーザ機器は無線通信システムに備えられ、且つ第１の基地局及び第２の基地局は、異なるキャリアを介してユーザ機器に無線データ接続される。
【００２３】
本発明のさらに他の方面は、プログラム製品をさらに提供する。該プログラム製品は、機械が実行可能な指令を備え、情報処理装置にて指令を実行する場合、該指令により、情報処理装置は、トリガノードにより、予定移行条件を満足したか否かを判定する判定ステップと、第２の基地局からユーザ機器に提供するサービスを第３の基地局に移行する予定移行条件を満足したと判定する場合、移行過程をトリガし、これにより、ユーザ機器は、第２の基地局との無線データ接続が解放され、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行されるトリガステップと、を実行し、第１の基地局、第２の基地局、第３の基地局及びユーザ機器は無線通信システムに備えられ、且つ第１の基地局及び第２の基地局は異なるキャリアを介してユーザ機器に無線データ接続される。
【００２４】
下記の説明部分には、本発明実施例の他の態様が記載されている。この詳しい説明は、本発明実施例の好ましい実施例を十分に開示するためであり、限定するものではない。
【００２５】
図面を組み合わせて以下の詳しい説明を参照すると、本発明をさらに理解することができる。全ての図面において、同じ又は類似の符号で同じ又は類似の部材を表している。前記図面とともに下記の詳しい説明は、例を挙げて本発明の好ましい実施例をさらに説明して、本発明の原理及びメリットを解釈するものであり、本明細書に含まれているとともに明細書の一部である。
【図面の簡単な説明】
【００２６】
【図１】図１は本発明実施例に係る無線通信システムを示す概略ブロック図である。
【図２】図２は本発明実施例に係る第１の基地局をトリガノードとして移行過程をトリガする例示的なシナリオを示す概略図である。
【図３】図３は本発明実施例に係る第２の基地局をトリガノードとして移行過程をトリガする例示的なシナリオを示す概略図である。
【図４】図４は、本発明実施例に係る第１、第２及び第３の基地局のデータが移行過程をトリガする前及び終了した後にともにコアネットワークから直接にルーティングして来て、ユーザ機器から第３の基地局に対する同期アクセスが成功する場合の例示的なシナリオを示す概略図である。
【図５】図５は、本発明実施例に係る第２の基地局のデータがコアネットワークから直接にルーティングして来て、ユーザ機器から第３の基地局に対する同期アクセスが失敗する場合の例示的なシナリオを示す概略図である。
【図６Ａ】図６Aは、本発明実施例に係る第２の基地局及び第３の基地局のデータが第１の基地局を介してフォワーディングして来て、ユーザ機器から第３の基地局に対する同期アクセスが成功する情况の例示的なシナリオを示す概略図である。
【図６Ｂ】図６Bは、本発明実施例に係る第２の基地局及び第３の基地局のデータが第１の基地局を介してフォワーディングして来て、ユーザ機器から第３の基地局に対する同期アクセスが成功する場合の他の例示的なシナリオを示す概略図である。
【図６Ｃ】図６Cは、本発明実施例に係る第２の基地局のデータが第１の基地局を介してフォワーディングして来て、第３の基地局のデータは移行過程のトリガを終了した後にコアネットワークから直接にルーティングして来て、且つユーザ機器から第３の基地局に対する同期アクセスが成功する場合の例示的なシナリオを示す概略図である。
【図７】図７は、本発明実施例に係る第２の基地局のデータが第１の基地局を介してフォワーディングして来て且つユーザ機器から第３の基地局に対する同期アクセスが失敗する場合の例示的なシナリオを示す概略図である。
【図８】図８は、本発明実施例に係る第１の基地局のデータが第２の基地局を介してフォワーディングして来て、ユーザ機器から第３の基地局に対する同期アクセスが成功する場合の例示的なシナリオを示す概略図である。
【図９】図９は、本発明実施例に係る第１の基地局のデータが第２の基地局を介してフォワーディングして来て、ユーザ機器から第３の基地局に対する同期アクセスが失敗する場合の例示的なシナリオを示す概略図である。
【図１０】図１０は、本発明実施例に係る接続維持ノードとしての第１の基地局の機能構成を示す例示的なブロック図である。
【図１１】図１１は本発明の他の実施例に係る接続維持ノードとしての第１の基地局の機能構成を示す例示的なブロック図である。
【図１２】図１２は本発明実施例に係る接続移行ソースノードとしての第２の基地局の機能構成を示す例示的なブロック図である。
【図１３】図１３は、本発明の他の実施例に係る接続移行ソースノードとしての第２の基地局の機能構成を示す例示的なブロック図である。
【図１４】図１４は、本発明実施例に係る接続移行目標ノードとしての第３の基地局の機能構成を示す例示的なブロック図である。
【図１５】図１５は、本発明実施例に係るユーザ機器の機能構成を示す例示的なブロック図である。
【図１６】図１６は、本発明実施例に係る無線通信システムに用いる方法のプロセスを示す例示的なフローチャートである。
【図１７】図１７は、本発明実施例に用いられる情報処理装置である個人コンピュータの例示的な構造を示すブロック図である。
【発明を実施するための形態】
【００２７】
以下、図面を組み合わせて本発明の例示的な実施例を説明する。明瞭及び簡潔にするために、明細書には、実際の実施形態の全ての特徴が記載されていない。但し、このような実際の実施例を開発する場合、開発者の具体的な目標を実現するために、実施形態によって条件、例えば、システム及サービスに関わる制限条件を決めなければならず、且つこれらの制限条件は実施形態によって変化するおそれがある。また、開発は非常に複雑で時間をかけるが、本発明の内容から利益を得る当業者にとって、この開発は日常の仕事に過ぎない。
【００２８】
ここで、不必要な細かい点により本発明が混同されることを避けるために、図面において本発明の技術案に密接に関わる機器の構造及び／または処理のステップのみを示しており、本発明にあまり関係ない他の細かい点は省略される。
【００２９】
以下、図１〜１７を参照しながら本発明の実施例を説明する。まず、図１を参照しながら、本発明実施例に係る無線通信システムの例示を説明する。図１は、本発明実施例に係る無線通信システムの概略ブロック図である。
【００３０】
図１に示すように、本発明実施例に係る無線通信システム１００は、第１の基地局１０２、第２の基地局１０４、第３の基地局１０６及びユーザ機器１０８を備えてもよい。ここで、第１の基地局１０２及び第２の基地局１０４は、異なるキャリアを介してユーザ機器１０８に無線データ接続され、トリガノードは、第２の基地局１０４からユーザ機器１０８へ提供するサービスを第３の基地局１０６へ移行する予定移行条件を満足したと判定する場合に、移行過程をトリガし、これにより、ユーザ機器１０８は第２の基地局１０４との無線データ接続が解放され、第３の基地局１０６との無線データ接続が確立され、第１の基地局１０２及び第３の基地局１０６は異なるキャリアを介してユーザ機器１０８に無線データ接続され、元の第２の基地局１０４に提供されるサービスの少なくとも一部は第３の基地局１０６に移行される。
【００３１】
第２の基地局１０４からユーザ機器１０８に提供するサービスを第３の基地局１０６に移行する予定移行条件は、第３の基地局１０６のサービス品質が第２の基地局１０４よりも予定閾値だけ高いこと、第３の基地局１０６のサービス品質が予定閾値よりも高いこと、及び第２の基地局１０４のサービス品質が第１の予定閾値よりも低くて第３の基地局１０６のサービス品質が第２の予定閾値よりも高いこと等の要素のうち１つ又は複数を備える。ここで、上述した予定移行条件は、仮に第１の基地局１０２及び第２の基地局１０４から移行しようとする対象を確定した場合のものである。
【００３２】
他方では、異なるキャリアを介してユーザ機器に無線データ接続される２つの基地局は予定移行条件をともに満足した場合、どの基地局から先に移行するか（即ち、２つの段階に分けて移行する場合、どの基地局が第１の基地局１０２であるか、どの基地局が第２の基地局１０４であるか、どの基地局が第３の基地局１０６であるか）を確定していない場合、１つの例示として、上述した予定移行条件は、例えば、１つの基地局は他の基地局よりもサービス品質が高い要素をさらに備えてもよい。
【００３３】
好ましくは、上述した２つの基地局から移行しようとする対象を確定する場合、この２つの基地局のサービスキャリアに関する測定結果をトリガノードに報告し、そして、トリガノードは基地局のタイプ（例えば、マスタノード／スレーブノード、マクロ基地局／低電力ノード等）、チャネル品質又は負荷状况等により、どの基地局に対する移行を先に開始するかを確定する。１つの例示として、１つの基地局のチャネル品質は予定閾値よりも低くて失敗に近く、他の基地局がちょうどさらによいネイバーを探している場合、チャネル品質が最も悪い基地局を移行しようとする対象として確定し、該基地局に対する移行を先に開始する。他の例示として、２つの基地局がほぼ同じチャネル品質を有するなら、より重い負荷を有する基地局を移行しようとする対象として確定し、かつ該基地局に対する移行を先に開始する。
【００３４】
好ましくは、元の第２の基地局１０４に提供されるサービスを第３の基地局１０６に全部移行することができない場合、移行過程により、さらに、元の第２の基地局１０４に提供されるサービスの一部が第１の基地局１０２に移行される。ここで、図１において１つの第１の基地局１０２のみ示しているが、第１の基地局１０２は、数はそれに限らず、複数の第１の基地局を有する１群の基地局、例えば、結合処理（Joint  Processing、JP）技術の複数の協調基地局であってもよい。これにより、上述した移行中に、元の第２の基地局１０４に提供されるサービスの一部は、この群の基地局における１つ又は複数の第１の基地局に移行されてもよい。また、この場合、セル単位で複数の第１の基地局のサービス品質を評価する。例えば、マルチポイント協調伝送の場合に、複数の協調基地局のキャリアを１つのセルとして複数の協調基地局のサービス品質を評価してもよい。
【００３５】
また、上述した移行の場合に、第１の基地局１０２がユーザ機器と一貫して無線データ接続しており、第２の基地局１０４に提供されるサービスが移行され、且つ元の第２の基地局１０４に提供されるサービスの少なくとも一部が第３の基地局１０６に移行されるため、本発明のいくつかの実施例では、第１の基地局１０２を接続維持ノード、第２の基地局１０４を接続移行ソースノード、第３の基地局１０６を接続移行目標ノードと称してもよい。上述したトリガノードは、ユーザ機器１０８が現在接続しているサービスノードであり、例えば、接続維持ノードである第１の基地局１０２であってもよいし、接続移行ソースノードである第２の基地局１０４であってもよい。
【００３６】
また、用語「第１」、「第２」及び「第３」は、区分のための記載に過ぎず、限定のためではない。例えば、第１の基地局１０２は、接続移行ソースノード又は接続移行目標ノードの特徴に合致する場合、接続移行ソースノード又は接続移行目標ノードであってもよい。この点については、第２の基地局１０４及び第３の基地局１０６も同じである。
【００３７】
具体的に、トリガノードは、受信した少なくとも第２の基地局１０４、及び選択的な第１の基地局１０２及び第３の基地局１０６のサービスキャリアに関する移動性測定結果により、予定移行条件を満足したと判定する場合、第１の基地局及び第２の基地局の関連情報を含む移行要求を第３の基地局１０６に送信し、第３の基地局１０６は、移行要求により第１の受付制御（first  admission  control）を実行し、且つ第１の受付制御の結果を通知するように移行応答を送信する。ここで、第３の基地局１０６は、移行応答を直接にトリガノードに返信してもよいし、ユーザ機器１０８に接続される他のサービスノードに移行応答を送信してもよい。
【００３８】
好ましくは、該移行応答は、第３の基地局１０６がユーザ機器１０８に通信可能な無線ベアラ部分、第３の基地局１０６に対する同期アクセスに所要の専用プリアンブル、ユーザ機器１０８と第３の基地局１０６との通信キャリアのシステム情報、及びユーザ機器１０８と第３の基地局１０６との通信を確立するための制御向けプロトコルの構成情報を備えてもよい。
【００３９】
好ましくは、第１の受付制御の結果が、第３の基地局１０６がユーザ機器１０８と第２の基地局１０４との間の全無線ベアラを受け付けられないことを示す場合、第３の基地局１０６の移行応答（直接に第３の基地局１０６からの移行応答、或いは、第２の基地局１０４を介して第１の基地局１０２へ転送する第３の基地局１０６の移行応答）に基づき、第１の基地局１０２は、第１の受付制御の結果により第２の受付制御を実行し、且つ第２の受付制御の結果を第２の基地局１０４に通知する。
【００４０】
好ましくは、第１の基地局１０２又は第２の基地局１０４は、第１の受付制御又は第２の受付制御の最終結果を知った後、最終結果及び第３の基地局１０６の移行応答により、移行過程を実行することを通知する通知メッセージをユーザ機器１０８に送信する。該通知メッセージは、第１の基地局１０２がユーザ機器のどの部分の無線ベアラに対して通信可能か、第３の基地局１０６がユーザ機器１０８のどの部分の無線ベアラに対して通信可能か、第３の基地局１０６に対する同期アクセスに所要の専用プリアンブル、ユーザ機器１０８と第３の基地局１０６との通信キャリアのシステム情報、及びユーザ機器１０８と第３の基地局１０６との通信を確立するための制御向けプロトコルの構成情報の中の少なくとも１つを備える。ユーザ機器１０８は通知メッセージを受信した後、第１の基地局１０２及び第３の基地局１０６に受け付けられない無線ベアラを解放し、第２の基地局１０４との無線データ接続を解放し、かつ第３の基地局１０６に対する同期アクセス操作を実行する。
【００４１】
好ましくは、上述したトリガノードは、第１の基地局１０２又は第２の基地局１０４であってもよい。
【００４２】
以下、図２及び図３を参照しながら、第１の基地局１０２及び第２の基地局１０４をそれぞれトリガノードとする場合の移行過程の例示的なシナリオを説明する。図２は、本発明実施例に係る第１の基地局をトリガノードとして移行過程をトリガする例示的なシナリオを示す概略図である。さらに、図３は、本発明実施例に係る第２の基地局をトリガノードとして移行過程をトリガする例示的なシナリオを示す概略図である。
【００４３】
図２に示すように、第１の基地局１０２をトリガノードとする場合、図２における実線矢印に示すように、第１の基地局１０２が移行過程をトリガする例として、ユーザ機器１０８は、該移動性測定結果を第２の基地局１０４に送信し、そして、第２の基地局１０４は該移動性測定結果を第１の基地局１０２に転送する。この実施例のメリットとしては、従来標準（ユーザ機器はサービス基地局に該サービス基地局の移動性キャリア測定結果を直接に報告する）に対する修正が低減されることである。また、図２における点線矢印に示すように、ユーザ機器１０８は、例えば
「測定報告」として、第２の基地局１０４のサービスキャリア（少なくともメインキャリアを含む）に関する移動性測定結果を第１の基地局１０２に送信してもよい。この実施例のメリットとしては、ユーザ機器１０８は第２の基地局１０４のサービスキャリアに関する測定報告を直接に第１の基地局１０２に送信することができ、第２の基地局１０４と第１の基地局１０２との間の情報のやり取りが節約される。
【００４４】
そして、第１の基地局１０２は、受信した移動性測定結果の情報により上述した予定移行条件を満足したと判定した後、例えば、「移行要求」として移行要求を第３の基地局１０６に送信し、そして、第３の基地局１０６は、移行要求により第１の受付制御を実行し、例えば「移行応答」として移行要求に対する応答を第１の基地局１０２に送信し、第１の受付制御の結果を第１の基地局１０２に通知し、該第１の受付制御の結果は、第３の基地局１０６はユーザ機器１０８と第２の基地局１０４との間の全無線ベアラ、或いはどの部分の無線ベアラを受け付けられるかを示している。
【００４５】
そして、第１の基地局１０２又は第３の基地局１０６は、例えば「移行通知」として上述した第１の受付制御の結果を第２の基地局１０４に通知し、第１の基地局１０２又は第２の基地局１０４は、該結果及び第３の基地局１０６の移行応答により、例えば、「移行確認」として、移行過程を実行することをユーザ機器１０８に通知する。該「移行確認」という通知メッセージに含まれる具体的な内容は上記に説明されたので、ここで説明しない。
【００４６】
好ましくは、第３の基地局１０６に実行される第１の受付制御の結果は、第３の基地局１０６がユーザ機器１０８と第２の基地局１０４との間の全無線ベアラを受け付けられないことを示すと、図２の点線ブロックに示すように、第１の基地局１０２は、受信した「移行応答」に含まれる第１の受付制御の結果により、第２の受付制御を実行してもよい。ここで、第３の基地局１０６に受け付けられない無線ベアラの少なくとも一部を第１の基地局１０２に移行するように第１の基地局１０２により第２の受付制御を実行することにより、ユーザ機器１０８が優れたサービス品質を得ることがさらに確保される。当然ながら、これは好ましい例示であり、限定ではなく、第１の受付制御の後、第１の基地局１０２により第２の受付制御を実行せずに、第３の基地局１０６に受け付けられないサービスを解放することを直接にユーザ機器１０８に通知してもよい。第１の受付制御及び／又は第２の受付制御の判定を経た後、第２の基地局１０４は、元の第２の基地局１０４に伝送される、第３の基地局１０６及び第１の基地局１０２に受け付けられない無線ベアラを解放し、該無線ベアラに対応するコアネットワークベアラを解放することをコアネットワークに通知する。
【００４７】
この場合に、第１の基地局１０２は、第２の受付制御を実行した後、例えば「移行通知」として第１の受付制御及び第２の受付制御に関する最終結果を第２の基地局１０４に通知し、そして、第１の基地局１０２又は第２の基地局１０４は、該最終結果により、例えば「移行確認」としてユーザ機器１０８に通知し、第３の基地局１０６に受付可能な無線ベアラを第３の基地局に移行し、第１の基地局１０２に受け付けられる無線ベアラを第１の基地局１０２に移行することができる。
【００４８】
ユーザ機器１０８は、上述した「移行確認」という通知メッセージを受信した後、第１の基地局１０２及び第３の基地局１０６に受け付けられないサービスを解放し、第２の基地局１０４との無線データ接続を解放し、第３の基地局１０６に対する同期アクセス操作を実行する。
【００４９】
以上は図２を参照しながら第１の基地局１０２をトリガノードとする場合の移行過程の基本的なシグナリングプロセスを詳しく説明した。以下は、図３を参照しながら第２の基地局１０４をトリガノードとする場合の移行過程の例示的なシナリオを詳しく説明する。
【００５０】
図３に示すように、このときのトリガノードは第２の基地局１０４であるため、ユーザ機器１０８は、そのキャリア移動性測定結果を第２の基地局１０４のみに通知すればよく、且つ第２の基地局１０４は、該測定結果により、予定移行条件を満足したと判定した後、移行過程をトリガするように移行要求を第３の基地局１０６に送信する。そして、第３の基地局１０６は、第１の受付制御を実行した後、第１の受付制御の結果を第２の基地局１０４に通知するように、移行要求に対する応答メッセージである「移行応答」を第２の基地局１０４に送信する。そして、第２の基地局１０４又は第３の基地局１０６は、該結果を第１の基地局１０２に通知し、第２の基地局１０４は、受信した「移行応答」により、「移行確認」として通知メッセージをユーザ機器１０８に送信することができる。
【００５１】
好ましくは、図２に示す状況と類似するように、第１の基地局１０２は、受信した第１の受付制御の結果により第２の受付制御を実行することもできる。具体的には、第２の基地局１０４が受信した第３の基地局１０６からの「移行応答」が、第３の基地局１０６がユーザ機器１０８と第２の基地局１０４との間の全無線ベアラを受け付けられないことを示す場合、第２の基地局１０４は、第３の基地局１０６に受け付けられない無線ベアラについて「移行要求」を第１の基地局１０２に送信し、第１の基地局１０２は、該「移行要求」により第２の受付制御を実行し、例えば「移行応答」として受付制御の最終結果を第２の基地局１０４に通知し、そして、第２の基地局１０４は、該最終結果により通知をユーザ機器１０８に送信する。この例では、第１の基地局からの「移行応答」は、第１の基地局１０２がユーザ機器１０８のどの部分の無線ベアラに対して通信可能かを含む。
【００５２】
図２及び図３を比べて分かるように、それらの移行過程のシナリオが類似しており、トリガノードとしての基地局のみが相違していることにより、あるシグナリングの送受ノード及び時間が異なるようになる。よって、図３に詳しく記載されていない部分については、図２を参照すればよく、ここで重複して説明しない。
【００５３】
以上は、図２及び図３を参照しながら異なる状況の移行過程の基本的なシグナリングやり取りの例示的なシナリオを詳しく説明した。以下は図４〜９を参照しながら移行過程の基本的なシグナリングやり取りの後、異なる場合に各ネットワークノード間のデータフォワーディング（data  forwarding）及びパス切替（path  switch）の例示的なシナリオを詳しく説明する。
【００５４】
図４は、本発明実施例に係る第１、第２及び第３の基地局のデータが、移行過程をトリガする前及び終了した後に何れもコアネットワークから直接にルーティングして来て、且つユーザ機器から第３の基地局に対する同期アクセスが成功する場合の例示的なシナリオを示す概略図である。
【００５５】
具体的に、第１の基地局１０２、第２の基地局１０４及び第３の基地局１０６のデータが、移行過程をトリガする前及び終了した後に、何れもコアネットワークからルーティングして来た場合、第２の基地局１０４は、受信した第１の受付制御の結果により、第３の基地局１０６に受付可能な第１の無線ベアラを第３の基地局１０６にデータフォワーディングするようにデータフォワーディング操作を実行し、第２の受付制御の結果により、第１の基地局１０２に受付可能な第２の無線ベアラを第１の基地局１０２にデータフォワーディングするようにデータフォワーディング操作を実行し、第１の基地局１０２又は第２の基地局１０４は、第２の無線ベアラに対応するパスを第１の基地局１０２に切り替えることをコアネットワークに通知する。
【００５６】
ここで、第１の受付制御の結果が、第３の基地局１０６が全無線ベアラを受け付けられることを示すと、第３の基地局１０６に受け付けられた第１の無線ベアラのデータのみを第３の基地局１０６にフォワーディングすればよく、そうでなければ、第３の基地局１０６に受け付けられた第２の無線ベアラのデータを第１の基地局１０２にさらにフォワーディングする必要がある。
【００５７】
データフォワーディング操作をした後、図４に示すように、ユーザ機器１０８から第３の基地局１０６に対する同期アクセスが成功すると、第３の基地局１０６は、第１の無線ベアラに対応するパスを第３の基地局１０６に切り替えることをコアネットワークに通知する。具体的に、第３の基地局１０６は、モビリティ管理エンティティ（MME）に、例えば、「パス切替要求」を送信し、モビリティ管理エンティティは、該要求を受信した後、ゲートウェイに、例えば、「ベアラ修正要求」を送信し、ゲートウェイは、該要求を受信した後、ダウンリンクパスを切り替える操作を実行し、これにより、第３の基地局１０６に受付可能な第１の無線ベアラのデータは第３の基地局１０６に直接にルーティングされ、第２の基地局１０４を介して第３の基地局１０６に転送される最後のデータパケットの番号を通知するように終了フラグを第２の基地局１０４に送信する。この後、ゲートウェイは、モビリティ管理エンティティに、例えば、「修正ベアラ応答」を送信し、モビリティ管理エンティティは、該応答を受信した後、コアネットワーク側のパス切替操作が終了したことを通知するように、パス切替要求の確認として例えば、「パス切替確認」を第３の基地局１０６に送信する。そして、第３の基地局１０６は、関わるユーザ機器情報を解放することを第２の基地局１０４に通知し、第２の基地局１０４は、該通知を受信した後、ユーザ機器１０８及びそのサービスに関わる資源を解放する。
【００５８】
逆に、図５に示すように、ユーザ機器１０８から第３の基地局１０６に対する同期アクセスが失敗すると、ユーザ機器１０８は、第１の基地局１０２に通知し、第１の基地局１０２は、第３の受付制御を実行し、第１の無線ベアラに対して受付制御を行い、第３の受付制御を行った後、同期アクセスの失敗を第２の基地局１０４及び第３の基地局１０６に通知し、これにより、第１の無線ベアラにおける第１の基地局１０２に受付可能な第３の無線ベアラのデータが第１の基地局１０２にフォワーディングされ、さらに、第１の基地局１０２は、第３の無線ベアラに対応するパスを第１の基地局１０２に切り替えることをコアネットワークに通知するとともに、どのデータが第１の基地局１０２のキャリアを介して伝送可能であるか、及びどのデータを解放する必要があるかをユーザ機器１０８に通知し、どの無線ベアラを解放する必要があるかを第２の基地局１０４及び第３の基地局１０６に通知し、該無線ベアラに対応するコアネットワークベアラを解放することをコアネットワークに通知する。
【００５９】
ここで、同期アクセスが失敗する場合、図５に示すように、第１の基地局１０２がモビリティ管理エンティティに通知する以外に、コアネットワーク側の具体的なパス切替操作は上記図４を参照しながら説明した過程に類似するため、ここで重複して説明しない。
【００６０】
上記図４及び図５を参照して説明したように、第１の基地局１０２に実行される第２の受付制御の結果により確定される第２の無線ベアラについては、ユーザ機器１０８から第３の基地局１０６に対する同期アクセスが成功するか否かに関わらず、それに対応するパスを第１の基地局１０２に切り替えることをコアネットワークに通知し、第３の基地局１０６に実行される第１の受付制御の結果により確定された第１の無線ベアラについては、ユーザ機器１０８から第３の基地局１０６に対する同期アクセスが成功する場合に限って、第１の無線ベアラに対応するパスを第３の基地局１０６に切り替えることをコアネットワークに通知し、同期アクセスが失敗する場合、第１の基地局１０２は、第１の無線ベアラに対して第３の受付制御を実行し、第３の受付制御の結果により確定された第３の無線ベアラに対応するパスを第１の基地局１０２に切り替えることをコアネットワークに通知し、つまり、元の第２の基地局１０４に提供される、第２の無線ベアラ及び第３の無線ベアラに対応するサービスは、第１の基地局１０２に提供されるようになる。また、同期アクセスが失敗する場合、第３のデータサービスベアラを第１の基地局１０２に伝送するように変更することをユーザ機器１０８にさらに通知し、且つ第１の基地局１０２は第３の受付制御を経ても受け付けられない無線ベアラを解放する必要がある。
【００６１】
以下、図６A、図６B、図６C及び図７を参照しながら、第２の基地局１０４のデータが、第１の基地局１０２を介してフォワーディングされて来た場合の例示的なシナリオを説明する。ここで、図６Aは、本発明実施例に係る第２の基地局及び第３の基地局のデータが、第１の基地局を介してフォワーディングされて来て、且つユーザ機器から第３の基地局に対する同期アクセスが成功する場合の例示的なシナリオを示す概略図であり、図６Bは、本発明実施例に係る第２の基地局及び第３の基地局のデータが、第１の基地局を介してフォワーディングされて来て、且つユーザ機器から第３の基地局に対する同期アクセスが成功する場合の他の例示的なシナリオを示す概略図であり、図６Cは、本発明実施例に係る第２の基地局のデータが第１の基地局を介してフォワーディングされて来て、第３の基地局のデータが移行過程のトリガが終了した後にコアネットワークから直接にルーティングして来て、且つユーザ機器から第３の基地局に対する同期アクセスが成功する場合の例示的なシナリオを示す概略図であり、図７は、本発明実施例に係る第２の基地局のデータが第１の基地局を介してフォワーディングされて来て、且つユーザ機器から第３の基地局に対する同期アクセスが失敗する場合の他の例示的なシナリオを示す概略図である。
【００６２】
具体的には、第２の基地局１０４及び第３の基地局１０６のデータが第１の基地局１０２を介してフォワーディングされて来たものである場合、第１の基地局１０２は、第１の受付制御の確認、或いは第２の受付制御を終了した後、第２の基地局１０４へのデータ転送を停止し、第２の基地局１０４は、第３の基地局１０６に受付可能な第１の無線ベアラのデータを第３の基地局１０６にフォワーディングするように、第１の受付制御の結果によりデータフォワーディング操作を実行し、第１の基地局１０２に受付可能な第２の無線ベアラのデータを第１の基地局１０２にフォワーディングするように、第２の受付制御の結果によりデータフォワーディング操作を実行する。
【００６３】
このとき、図６Aに示すように、第２の基地局１０４のデータは、第１の基地局１０２を介してフォワーディングされて来たものであるため、第１の基地局１０２は、第３の基地局１０６に対してデータフォワーディング操作を実行する必要があり、第１の基地局１０２は、第１の受付制御の確認を終了した後、ユーザ機器１０８から第３の基地局１０６に対する同期アクセスが成功するか否かに関わらず、第１の無線ベアラのデータを第３の基地局１０６にフォワーディングするように、第２の基地局１０４とともにデータフォワーディング操作を実行してもよい。選択的に、図６Bに示すように、第１の基地局１０２は、ユーザ機器１０８から第３の基地局１０６に対する同期アクセスが成功することを知った後、データフォワーディング操作を実行してもよく、これは、第１の基地局１０２及び第２の基地局１０４が同時に一つの無線ベアラについてサービスを伝送する場合に特に適する。
【００６４】
また、第２の基地局１０４は、データフォワーディング操作後に、ユーザ機器１０８のサービスに関わる資源を自動的に解放する。
【００６５】
特に、第１の受付制御の結果が、第３の基地局１０６が全無線ベアラを受け付けられないことを示すと、第３の基地局１０６に受け付けられる第１の無線ベアラに対してデータフォワーディング操作を実行するとともに、第１の基地局１０２は、第２の基地局１０４へのデータ転送を停止する以外に、第２の基地局１０４は、第１の基地局１０２に受け付けられる第２の無線ベアラのデータを第１の基地局１０２に戻させて伝送する必要がある。
【００６６】
選択的に、図６Cに示すように、第２の基地局１０４のデータは、第１の基地局１０２を介してフォワーディングされて来たものであり、第３の基地局１０６のデータが、移行過程のトリガが終了した後に、コアネットワークから直接にルーティングして来たものであり、ユーザ機器１０８から第３の基地局１０６に対する同期アクセスが成功する場合、上記図６A及び図６Bを参照して説明した処理過程以外に、コアネットワーク側の操作もさらにあり、即ち、第３の基地局１０６は、第３の基地局１０６に受付可能な第１の無線ベアラに対応するコアネットワークベアラを修正することをコアネットワークに通知する必要もある。具体的に、ユーザ機器１０８から第３の基地局１０６に対する同期アクセスが成功した後、第３の基地局１０６は、例えば、「パス切替要求」をモビリティ管理エンティティに送信し、モビリティ管理エンティティは、該要求を受信した後、例えば、「修正ベアラ要求」をゲートウェイに送信し、ゲートウェイは、該要求を受信した後、ダウンリンクパスを切り替える操作を実行し、第３の基地局１０６に受付可能な第１の無線ベアラのデータを第３の基地局１０６に直接にルーティングし、第１の基地局を介して第３の基地局１０６に転送する最後のデータパケットの番号を通知するように終了フラグを第１の基地局１０２に送信し、そして、ゲートウェイは、例えば、「修正ベアラ応答」をモビリティ管理エンティティに送信し、モビリティ管理エンティティは、該応答を受信した後、例えば、「パス切替要求」の確認として「パス切替確認」を第３の基地局１０６に送信し、コアネットワーク側のパス切替操作が終了したことを第３の基地局１０６に通知する。
【００６７】
ところが、ユーザ機器１０８から第３の基地局１０６に対する同期アクセスが失敗すると、図７に示すように、図５を参照して説明したシナリオと類似するように、ユーザ機器１０８は、まず第１の基地局１０２に通知し、第１の基地局１０２は、該通知を受信した後、第３の基地局１０６へのデータ転送を停止させ、且つ第３の受付制御を実行した後、同期アクセスの失敗を第２の基地局１０４及び第３の基地局１０６に通知し、第２の基地局１０４及び第３の基地局１０６に、第１の無線ベアラにおける第１の基地局１０２に受付可能な第３の無線ベアラに対してデータフォワーディング操作を実行させ、これにより、第１の無線ベアラにおける第１の基地局１０２に受付可能な第３の無線ベアラのデータは、第１の基地局１０２にフォワーディングされ、第１の無線ベアラにおける第１の基地局１０２に受付不可な無線ベアラが解放される。さらに、第１の基地局１０２は、どのデータが第１の基地局１０２のキャリアを介して伝送することができるか、及びどのデータを解放する必要があるかをユーザ機器１０８に通知する。
【００６８】
上記図６A、図６B及び図７を参照する記載から分かるように、これらの場合には、第１の基地局１０２から無線通信システムにおける他の基地局へデータを転送するため、同期アクセス操作が成功するか失敗するかに関わらず、コアネットワークのパス切替操作を実行する必要がない。
【００６９】
ここで、図７に示すように、第１の基地局１０２及び第２の基地局１０４は同時に第３の基地局１０６に対してデータフォワーディング操作を実行しているが、これは例示に過ぎない。図６Bに類似するように、第１の基地局１０２は、第３の基地局１０６に対してデータフォワーディング操作をとりあえず実行しなくてもよい。本発明は、これについて限定しない。
【００７０】
以下、図８及び図９を参照しながら、第１の基地局のデータが第２の基地局からフォワーディングされて来た場合の例示的なシナリオを説明する。図８は、本発明実施例に係る第１の基地局のデータが第２の基地局からフォワーディングされて来て、且つユーザ機器から第３の基地局に対する同期アクセスが成功する場合の例示的なシナリオを示す概略図であり、図９は、本発明実施例に係る第１の基地局のデータが第２の基地局からフォワーディングされて来て且つユーザ機器から第３の基地局に対する同期アクセスが失敗する場合の例示的なシナリオを示す概略図である。
【００７１】
具体的には、第１の基地局１０２のデータが、第２の基地局１０４からフォワーディングされて来た場合、第２の基地局１０４は、第１の受付制御の結果により、第３の基地局１０６に受付可能な第１の無線ベアラのデータを第３の基地局１０６にフォワーディングするようにデータフォワーディング操作を実行し、第２の受付制御の結果により、第１の基地局１０２に受付可能な第２の無線ベアラのデータを第１の基地局１０２にフォワーディングするデータフォワーディング操作を実行する。
【００７２】
ユーザ機器１０８から第３の基地局１０６に対する同期アクセスが成功すると、図８に示すように、第３の基地局１０６は、コアネットワークから第２の基地局１０４へ伝送するデータを第３の基地局１０６に直接にルーティングするように、パス切替を実行するようにコアネットワークをトリガし、パス切替を終了した後、第３の基地局１０６は、第１の基地局１０２を介して伝送するダウンリンクベアラのデータを第１の基地局１０２に転送し始め、第２の基地局１０４は、データフォワーディング操作を終了した後、ユーザ機器及びそのサービスに関する情報を解放する。具体的に、同期アクセスが成功した後、第３の基地局１０６は、例えば「パス切替要求」をモビリティ管理エンティティに送信し、モビリティ管理エンティティは、該要求を受信した後、例えば、「修正ベアラ要求」をゲートウェイに送信し、ゲートウェイは、該要求を受信した後、ダウンリンクパスを切り替える操作を実行し、第３の基地局１０６に受付可能な第１の無線ベアラのデータを第３の基地局１０６に直接にルーティングし、かつ終了フラグを第２の基地局１０４に送信し、そして、第２の基地局１０４は、第２の基地局１０４を介して転送する最後のデータパケットの番号を第１の基地局に通知するように該終了フラグを第１の基地局１０２に転送し、その後、ゲートウェイは、例えば、「修正ベアラ応答」をモビリティ管理エンティティに送信し、モビリティ管理エンティティは、該応答を受信した後、例えば、「パス切替要求」の確認として「パス切替確認」を第３の基地局１０６に通知し、コアネットワーク側のパス切替操作が終了したことを第３の基地局１０６に通知する。
【００７３】
図８に示すように、同期アクセスが成功する場合、第２の基地局１０４は、第１の基地局１０２からのサービスの終了フラグを受信してから第１の基地局１０２に転送し、そして、第３の基地局１０６及び／又は第１の基地局１０２からの「ユーザ機器情報解放」というメッセージを受信した後、ユーザ機器１０８に関わる全ての資源を解放する。
【００７４】
逆に、ユーザ機器１０８から第３の基地局１０６に対する同期アクセスが失敗すると、図９に示すように、ユーザ機器１０８は、第１の基地局１０２に通知し、第１の基地局１０２は、第３の受付制御の後、同期アクセスの失敗を第２の基地局１０４及び第３の基地局１０６に通知し、第２の基地局１０４及び第３の基地局１０６に、第１の無線ベアラにおける第１の基地局１０２に受付可能な第３の無線ベアラに対してデータフォワーディング操作を実行させるとともに、どのデータが第１の基地局１０２のキャリアを介して伝送できるか、どのデータを解放する必要があるかをユーザ機器１０８に通知する。
【００７５】
好ましくは、同期アクセスが失敗する場合、依然として第２の基地局１０４により、第１の基地局１０２に伝送されるサービスのデータ（即ち、第１の基地局１０２の元のサービスのデータ、第２の無線ベアラのデータ及び第３の無線ベアラのデータ）を第１の基地局１０２に転送してもよい。この場合、小型基地局間で切り替える必要となる場合、データを転送するアンカー基地局（例えば、ここの第２の基地局１０４）が常に存在しているので、データ転送の移行を実行することをアンカー基地局に通知すればよい。
【００７６】
ところが、選択的に、第１の基地局１０２が第３の受付制御を終了した後、第１の基地局１０２又は第２の基地局１０４は、第２の基地局１０４を介して第１の基地局１０２にフォワーディングされるデータに対応するパスを第１の基地局１０２に切り替えるとともに、第１の無線ベアラにおける第１の基地局１０２に受付不可な無線ベアラに対応するコアネットワークベアラを解放するように、第１の基地局１０２に受け付けられる全無線ベアラのデータに対してパス切替を実行することをコアネットワークに通知し、第１の無線ベアラにおける第１の基地局１０２に受付不可な無線ベアラを解放するようにユーザ機器１０８に通知してもよい。
【００７７】
ここで、同期アクセスが失敗する場合、図９に示すように、第１の基地局１０２又は第２の基地局１０４によりモビリティ管理エンティティに通知する以外に、コアネットワークに関する具体的なパス切替操作は、上記図８を参照して説明した過程に類似するため、ここで、重複して説明しない。
【００７８】
以上は、図４〜９を参照して、各種の移行過程後のデータフォワーディング及びパス切替操作を説明した。ここで、図面及びその関連記載は、例示的なものに過ぎず、限定するものではなく、且つ当業者は、本発明の原理に従って上述した過程を修正することができる。例えば、上記では、元の第２の基地局１０４に提供されるサービスの少なくとも一部は、第１の基地局１０２及び第３の基地局１０６の両者により実行されているが、第３の基地局１０６のみで実行されてもよく、第３の基地局１０６に受付不可なサービスについては、該部分のサービスを放棄することをユーザ機器１０８に通知してもよい。また、図４〜図９において、第２の基地局１０４が第３の基地局１０６に対してデータフォワーディング操作を実行することのみを示しているが、これは図示を明瞭にするためであり、限定するためではない。ここで、第１の基地局１０２が受付制御を実行する場合、第２の基地局１０４は、第１の基地局１０２に受け付けられる無線ベアラについて第１の基地局１０２に対してもデータフォワーディング操作を実行する。
【００７９】
また、明瞭性のために、図面において本発明に密接に関連するいくつかのシグナリングやり取りのみを示しており、当分野で周知の他のシグナリングやり取りについては、ここで説明しない。
【００８０】
上記本発明実施例の詳しい記載から分かるように、予定移行条件を満足した場合に、上述移行過程を実行することにより、ユーザ機器が優れたサービス品質を得られるとともに、データ伝送效率が向上される。
【００８１】
以下、図１０を参照しながら、本発明実施例に係る接続維持ノードとしての第１の基地局の機能構成の例示を説明する。図１０は、本発明実施例に係る接続維持ノードとしての第１の基地局の機能構成の例示を示すブロック図である。
【００８２】
図１０に示すように、該実施例に係る第１の基地局１０００は、測定結果受信ユニット１００２、判定ユニット１００４、移行要求送信ユニット１００６及び移行応答受信ユニット１００８を備えてもよい。以下は、各ユニットの機能構成の例示を詳しく説明する。
【００８３】
測定結果受信ユニット１００２は、第１の基地局１０００が上述した移行過程をトリガするトリガノードである場合、ユーザ機器或いは接続移行ソースノードとしての第２の基地局からの、ユーザ機器と第２の基地局との間のサービスキャリアに関する移動性測定結果を受信するように配置されてもよい。
【００８４】
判定ユニット１００４は、測定結果受信ユニット１００２が受信した移動性測定結果により、第２の基地局からユーザ機器に提供するサービスを第３の基地局に移行する予定移行条件を満足したか否かを判定するように配置されてもよい。
【００８５】
移行要求送信ユニット１００６は、判定ユニット１００４が予定移行条件を満足したと判定する場合、接続移行目標ノードとしての第３の基地局に移行要求を送信するように配置されてもよく、これにより、ユーザ機器は第２の基地局との無線データ接続を解放して第３の基地局との無線データ接続を確立するようにトリガされ、第１の基地局及び第３の基地局は異なるキャリアを介してユーザ機器に無線データ接続され、元の第２の基地局に提供されるサービスの少なくとも一部が第３の基地局に移行される。
【００８６】
移行応答受信ユニット１００８は、第３の基地局から移行応答を受信するように配置されてもよい。該移行応答は、第３の基地局が実行する受付制御の結果を含んでもよい。
【００８７】
好ましくは、第１の基地局１０００は、第１の受付制御実行ユニット１０１０をさらに備える。第１の受付制御実行ユニット１０１０は、移行応答受信ユニット１００８が受信した移行応答に含まれる受付制御結果は第３の基地局が第２の基地局の全無線ベアラを受け付けられないことを示す場合、第３の基地局が受け付けられない無線ベアラに対して受付制御を実行するように配置されてもよい。これにより、第１の基地局１０００に受付可能な無線ベアラは、第１の基地局１０００に移行されることができる。
【００８８】
また、第１の基地局１０００は、通知ユニット１０１２をさらに備えてもよい。通知ユニット１０１２は、第３の基地局が実行する受付制御の結果及び選択的な第１の基地局が実行する受付制御の結果をユーザ機器及び／又は第２の基地局に通知するように配置されてもよい。
【００８９】
また、第１の基地局１０００は、データフォワーディングユニット１０１４をさらに備えてもよい。データフォワーディングユニット１０１４は、第２の基地局のデータが第１の基地局を介してフォワーディングされて来た場合、第３の基地局に対してデータフォワーディングを実行するように配置されてもよい。好ましくは、データフォワーディングユニット１０１４は、移行過程の基本的なシグナリングやり取りが終了した後、第２の基地局と一緒にデータフォワーディングを実行してもよいし、ユーザ機器から第３の基地局に対する同期アクセスが成功するメッセージを受信した後データフォワーディングを実行してもよい。
【００９０】
好ましくは、第１の基地局１０００は、第２の受付制御実行ユニット１０１６を備えてもよい。第２の受付制御実行ユニット１０１６は、ユーザ機器から第３の基地局に対する同期アクセスが失敗する場合、第１の基地局に受付可能な無線ベアラを第１の基地局１０００に移行させるように、元の第３の基地局に受け付けられる無線ベアラに対して受付制御を実行するように配置されてもよい。
【００９１】
また、好ましくは、第１の基地局１０００は、コアネットワーク通知ユニット１０１８をさらに備えてもよい。コアネットワーク通知ユニット１０１８は、第２の基地局のデータがコアネットワークから直接にルーティングして来た場合、第１の基地局に受け付ける無線ベアラに対応するパスを第１の基地局に切り替えることをコアネットワークに通知する。
【００９２】
ここで、以上のように、図１０を参照しながら説明した第１の受付制御実行ユニット１０１０、通知ユニット１０１２、データフォワーディングユニット１０１４、第２の受付制御実行ユニット１０１６及びコアネットワーク通知ユニット１０１８は何れも選択的なものであり、図１０において点線ブロックで示している。さらに、当業者は、例えば、必要に応じて上述した各ユニットにおける１つまたは複数を組み合わせてもよい。さらに、任意のこのような組み合わせも本発明の範囲内に属する。
【００９３】
以下、図１１を参照しながら、本発明の他の実施例に係る接続維持ノードとしての第１の基地局の機能構成の例示を説明する。図１１は、本発明の他の実施例に係る接続維持ノードとしての第１の基地局の機能構成の例示を示すブロック図である。ここで、測定報告受信ユニット１００２、移行要求送信ユニット１００４、判定ユニット１００６及び移行応答受信ユニット１００８に代えて受信ユニット１１０２を設置する以外に、図１１に示す第１の基地局１１００は上記図１０を参照して説明した第１の基地局１０００と機能構成が同じであるため、説明を適当に省略する。
【００９４】
受信ユニット１１０２は、接続移行ソースノードとしての第２の基地局により上述した移行過程をトリガする場合、第２の基地局或いは接続移行目標ノードである第３の基地局からの移行過程に関する通知を受信するように配置されてもよく、該通知は第３の基地局に実行される受付制御の結果を含んでもよい。
【００９５】
また、図１１において点線ブロックで表される選択的な第１の受付制御実行ユニット１１０４、通知ユニット１１０６、データフォワーディングユニット１１０８、第２の受付制御実行ユニット１１１０及びコアネットワーク通知ユニット１１１２については、上記図１０を参照して説明した対応するユニットの機能構成と同じであるため、ここで重複して説明しない。
【００９６】
以下、図１２を参照しながら、本発明実施例に係る接続移行ソースノードとしての第２の基地局の機能構成の例示を説明する。図１２は、本発明実施例に係る接続移行ソースノードとしての第２の基地局の機能構成の例示を示すブロック図である。
【００９７】
図１２に示すように、本発明実施例に係る第２の基地局１２００は、受信ユニット１２０２を備えてもよい。受信ユニット１２０２は、接続維持ノードとしての第１の基地局により移行過程をトリガする場合、第１の基地局、或いは接続移行目標ノードとしての第３の基地局からの移行過程に関する通知を受信するように配置されてもよく、該通知は、第３の基地局に実行される受付制御の結果及び選択的に第１の基地局に実行される受付制御の結果を含んでもよい。
【００９８】
選択的に、第２の基地局１２００は、ユーザ機器通知ユニット１２０４をさらに備えてもよい。ユーザ機器通知ユニット１２０４は、第３の基地局に実行される受付制御の結果及び選択的な第１の基地局に実行される受付制御の結果をユーザ機器に通知するように配置されてもよい。
【００９９】
第２の基地局１２００は、データフォワーディングユニット１２０６をさらに備えてもよい。データフォワーディングユニット１２０６は、第３の基地局及び第１の基地局に受け付けられる無線ベアラのデータを第３の基地局及び第１の基地局にそれぞれフォワーディングするように第３の基地局及び選択的な第１の基地局に対してデータフォワーディング操作を実行するように配置されてもよい。
【０１００】
第２の基地局１２００は、コアネットワーク通知ユニット１２０８をさらに備えてもよい。コアネットワーク通知ユニット１２０８は、第２の基地局のデータがコアネットワークから直接にルーティングして来る場合、第１の基地局に受付可能な無線ベアラに対応するパスを第１の基地局に切り替えることをコアネットワークに通知するように配置されてもよい。
【０１０１】
以下、図１３を参照しながら本発明の他の実施例に係る接続移行ソースノードとしての第２の基地局の機能構成の例示を説明する。図１３は、本発明の他の実施例に係る接続移行ソースノードとしての第２の基地局の機能構成の例示を示すブロック図である。ここで、図１２に示す第２の基地局１２００の受信ユニット１２０２に代えて測定結果受信ユニット１３０２、判定ユニット１３０４、移行要求送信ユニット１３０６及び移行応答受信ユニット１３０８を設置する以外に、図１３に示す第２の基地局１３００の機能構成は図１２に示す第２の基地局１２００の機能構成と同じであるため、説明を適当に省略した。
【０１０２】
測定結果受信ユニット１３０２は、ユーザ機器からの、ユーザ機器と第２の基地局との間のサービスキャリアに関する移動性測定結果を受信するように配置されてもよい。
【０１０３】
判定ユニット１３０４は、測定結果受信ユニット１３０２が受信した移動性測定結果により、第２の基地局からユーザ機器に提供するサービスを第３の基地局に転移する予定移行条件を満足したか否かを判定するように配置されてもよい。
【０１０４】
移行要求送信ユニット１３０６は、判定ユニット１３０４が予定移行条件を満足したと判定する場合、接続移行目標ノードとしての第３の基地局に移行要求を送信するように配置されてもよく、これにより、ユーザ機器は第２の基地局との無線データ接続を解放して第３の基地局との無線データ接続を確立するようにトリガされ、接続維持ノードとしての第１の基地局及び第３の基地局は異なるキャリアを介してユーザ機器に無線データ接続され、元の第２の基地局に提供されるサービスの少なくとも一部が第３の基地局に移行される。
【０１０５】
移行応答受信ユニット１３０８は、第３の基地局から移行応答を受信するように配置されてもよい。該移行応答は、第３の基地局に実行される受付制御の結果を含んでもよい。
【０１０６】
好ましくは、第３の基地局１３００は、移行確認受信ユニット１３１０をさらに備えてもよい。移行確認受信ユニット１３１０は、第１の基地局から移行確認を受信するように配置されてもよい。該移行確認は第１の基地局に実行される受付制御の結果を含んでもよい。
【０１０７】
また、図１３において点線ブロックで表されるユーザ機器通知ユニット１３１２、データフォワーディングユニット１３１４及びコアネットワーク通知ユニット１３１６は、上記図１２を参照して説明するユーザ機器通知ユニット１２０４、データフォワーディングユニット１２０６及びコアネットワーク通知ユニット１２０８と機能構成が同じであり、ここで重複して説明しない。
【０１０８】
また、図１０及び図１１に示す状況に類似するように、図１２及び図１３において点線ブロックで表される構成ユニットは選択的であり、当業者は、実際の要求に応じてこれらのユニットの中の１つ又は複数を組み合わせることができ、さらに、任意のこのような組み合わせも本発明の範囲内に属する。
【０１０９】
以下、参照図１４を参照しながら、本発明実施例に係る接続移行目標ノードとしての第３の基地局の機能構成の例示を説明する。図１４は、本発明実施例に係る接続移行目標ノードとしての第３の基地局の機能構成の例示を示すブロック図である。
【０１１０】
図１４に示すように、本発明実施例に係る第３の基地局１４００は、移行要求受信ユニット１４０２、受付制御実行ユニット１４０４及び移行応答送信ユニット１４０６を備えてもよい。
【０１１１】
移行要求受信ユニット１４０２は、トリガノードであって接続維持ノードとしての第１の基地局、或いは接続移行ソースノードとしての第２の基地局からの移行過程に関する移行要求を受信するように配置されてもよい。これにより、ユーザ機器は第２の基地局との無線データ接続が解放され、且つユーザ機器から第３の基地局に対する同期アクセスが成功する場合、第１の基地局及び第３の基地局が異なるキャリアを介してユーザ機器に無線データ接続され、元の第２の基地局に提供されるサービスの少なくとも一部が第３の基地局に移行される。
【０１１２】
受付制御実行ユニット１４０４は、第３の基地局に受付可能な第２の基地局の無線ベアラを確定するように、移行要求受信ユニット１４０２が受信した移行要求により、受付制御を実行するように配置されてもよい。
【０１１３】
移行応答送信ユニット１４０６は、移行過程のトリガノードとしての第１の基地局又は第２の基地局に移行応答を送信するように配置されてもよい。該移行応答は、第３の基地局に実行される受付制御の結果を含んでもよい。
【０１１４】
選択的に、第３の基地局１４００は、コアネットワーク通知ユニット１４０８をさらに備えてもよい。コアネットワーク通知ユニット１４０８は、第２の基地局のデータがコアネットワークから直接にルーティングして来て、或いは第１の基地局のデータが第２の基地局を介してフォワーディングされて来るとともにユーザ機器から第３の基地局に対する同期アクセスが成功する場合、第３の基地局に受け付けられる無線ベアラに対応するパスを第３の基地局に切り替えることをコアネットワークに通知するように配置されてもよい。
【０１１５】
また、選択的に、第３の基地局１４００は、データフォワーディングユニット１４１０をさらに備えてもよい。データフォワーディングユニット１４１０は、ユーザ機器から第３の基地局に対する同期アクセスが失敗する場合、第１の基地局に対してデータフォワーディングを実行し、元の第３の基地局に受け付けられる無線ベアラにおいて第１の基地局に受付可能な無線ベアラのデータを第１の基地局にフォワーディングするように配置されてもよい。
【０１１６】
ここで、図１４において点線ブロックで表されるコアネットワーク通知ユニット１４０８及びデータフォワーディングユニット１４１０は何れも選択的なものである。当業者は、実際の要求に応じてこれらのユニットの中の１つ又は複数を組み合わせることができ、且つ何れの組み合わせも本発明の範囲内に属する。
【０１１７】
以下、図１５を参照しながら、本発明実施例に係るユーザ機器の機能構成の例示を説明する。図１５は、本発明実施例に係るユーザ機器の機能構成の例示を示すブロック図である。
【０１１８】
図１５に示すように、本発明実施例に係るユーザ機器１５００は、測定結果報告ユニット１５０２、第１の通知受信ユニット１５０４及び同期アクセスユニット１５０６を備えてもよい。
【０１１９】
測定結果報告ユニット１５０２は、トリガノードは第２の基地局からユーザ機器に提供するサービスを第３の基地局に移行する予定移行条件を満足したか否かを判定する例として、ユーザ機器と接続移行ソースノードとしての第２の基地局との間のサービスキャリアに関する移動性測定結果を、第２の基地局及び選択的な接続維持ノードとしての第１の基地局に報告するように配置されてもよい。
【０１２０】
第１の通知受信ユニット１５０４は、第１の基地局又は第２の基地局からの移行過程に関する通知を受信するように配置されてもよい。該通知は、接続移行目標ノードとしての第３の基地局に実行される受付制御の結果及び選択的な第１の基地局に実行される受付制御の結果を含んでもよい。
【０１２１】
同期アクセスユニット１５０６は、移行通知受信ユニット１５０４が受信した通知により、第３の基地局に対する同期アクセスを実行するように配置されてもよい。
【０１２２】
好ましくは、ユーザ機器１５００は、第２の通知受信ユニット１５０８をさらに備えてもよい。第２の通知受信ユニット１５０８は、ユーザ機器から第３の基地局に対する同期アクセスが失敗する場合、第１の基地局からの通知を受信するように配置されてもよい。該通知は、ユーザ機器のどのデータが第１の基地局のキャリアを介して伝送できるか、及びどのデータを解放する必要があるかに関する情報を含んでもよい。
【０１２３】
同じように、図１５において点線ブロックで表される第２の通知受信ユニット１５０８も選択的なものである。
【０１２４】
以上のように、図１０〜１５を参照しながら、本発明実施例に係る無線通信システムにおける第１の基地局、第２の基地局、第３の基地局及びユーザ機器の機能構成の例示を説明したが、それは本発明を限定するためではないとともに、当業者は本発明の原理に従って上記構成に対して組み合わせ、組合せ及び変更をすることができる。
【０１２５】
以下、図１６を参照しながら、本発明実施例に係る無線通信システムに用いる方法のプロセスの例示を説明する。図１６は、本発明実施例に係る無線通信システムに用いる方法のプロセスの例示を示すフローチャートである。該無線通信システムは、第１の基地局、第２の基地局、第３の基地局及びユーザ機器を備えて、第１の基地局及び第２の基地局は異なるキャリアを介してユーザ機器に無線データ接続されてもよい。
【０１２６】
図１６に示すように、本発明実施例に係る方法１６００は、判定ステップS１６０２及びトリガステップS１６０４を備えてもよい。
【０１２７】
判定ステップS１６０２では、トリガノードにより、第２の基地局からユーザ機器に提供するサービスを第３の基地局に転移する予定移行条件を満足したか否かを判定してもよい。該トリガノードは、接続維持ノードとしての第１の基地局、或いは接続移行ソースノードとしての第２の基地局であってもよい。
【０１２８】
そして、トリガステップS１６０４では、予定移行条件を満足したと判定する場合、移行過程をトリガし、これにより、ユーザ機器は第２の基地局との無線データ接続が解放され、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行される。
【０１２９】
好ましくは、上述した移行過程により、元の第２の基地局に提供されるサービスの一部分が第１の基地局に転送される。
【０１３０】
好ましくは、トリガノードは、受信した第２の基地局のサービスキャリアに関する移動性測定の結果により予定移行条件を満足したと判定する場合、移行要求を第３の基地局に送信し、第３の基地局は、移行要求により、第１の受付制御を実行し、第１の受付制御の結果を通知するように移行応答をトリガノードに送信する。
【０１３１】
好ましくは、第１の受付制御の結果は第３の基地局がユーザ機器と第２の基地局との間の全無線ベアラを受けられないことを示すと、第１の基地局は、第１の受付制御の結果により、第２の受付制御を実行し、第２の受付制御の結果を第２の基地局に通知する。
【０１３２】
好ましくは、第１の基地局又は第２の基地局は、第１の受付制御又は第２の受付制御の最終結果を知った後、最終結果及び第３の基地局のフィードバック情報により、ユーザ機器に移行過程を実行させる通知メッセージをユーザ機器に送信する。該通知メッセージは、第１の基地局がユーザ機器のどの部分の無線ベアラに対して通信可能か、第３の基地局が前記ユーザ機器のどの部分の無線ベアラに対して通信可能か、第３の基地局に対する同期アクセスに所要の専用プリアンブル、ユーザ機器と第３の基地局との通信キャリアのシステム情報、及びユーザ機器と第３の基地局との間の通信を確立するための制御向けプロトコルの構成情報の中の少なくとも１つを備える。また、ユーザ機器は、通知メッセージを受信した後、第１の基地局及び第３の基地局に受け付けられない無線ベアラを解放するとともに、第２の基地局との無線データ接続を解放し、第３の基地局に対する同期アクセス操作を実行する。
【０１３３】
ここで、本発明実施例に係る無線通信システムに用いる方法は、上記無線通信システムの実施例に対応するので、詳しく説明されない部分については、上記対応する記載を参照すればよく、ここで重複して説明しない。
【０１３４】
さらに、本発明実施例は記憶媒体をさらに提供する。該記憶媒体は、機械可読なプログラムコードを備える。情報処理装置にてプログラムコードを実行する場合、該プログラムコードにより、情報処理装置は、上記本発明実施例に記載の無線通信システムに用いる方法を実行し、該方法は、トリガノードにより第２の基地局からユーザ機器に提供するサービスを第３の基地局に移行する予定移行条件を満足したか否かを判定する判定ステップと、予定移行条件を満足したと判定する場合に、移行過程をトリガし、これにより、ユーザ機器は第２の基地局との無線データ接続が解放され、第３の基地局との無線データ接続が確立され、第１の基地局及び第３の基地局は異なるキャリアを介してユーザ機器に無線データ接続され、元の第２の基地局に提供されるサービスの少なくとも一部は第３の基地局に移行されるトリガステップと、を備え、第１の基地局、第２の基地局、第３の基地局及びユーザ機器は無線通信システムに備えられ、且つ第１の基地局及び第２の基地局は異なるキャリアを介してユーザ機器に無線データ接続される。
【０１３５】
さらに、本発明実施例はプログラム製品をさらに提供する。該プログラム製品は、機械が実行可能な指令を備える。情報処理装置にて指令を実行する場合、該指令により、情報処理装置は、上述した本発明実施例に記載の無線通信システムに用いる方法を実行する。該方法は、トリガノードにより、第２の基地局からユーザ機器に提供するサービスを第３の基地局に移行する予定移行条件を満足したか否かを判定する判定ステップと、予定移行条件を満足したと判定する場合、移行過程をトリガし、これにより、ユーザ機器は第２の基地局との無線データ接続が解放され、第３の基地局との無線データ接続が確立され、第１の基地局及び第３の基地局は異なるキャリア介してユーザ機器に無線データ接続され、元の第２の基地局に提供されるサービスの少なくとも一部が第３の基地局に移行されるトリガステップと、を備え、第１の基地局、第２の基地局、第３の基地局及びユーザ機器は、無線通信システムに備えられ、且つ第１の基地局及び第２の基地局は、異なるキャリアを介してユーザ機器に無線データ接続される。
【０１３６】
ここで、本発明実施例に係る記憶媒体及びプログラム製品における機械が実行可能な指令により、上記無線通信システムの実施例に対応する方法を実行することもできる。よって、詳しく説明されていない部分については、上記対応する記載を参照すればよく、ここで、重複して説明しない。
【０１３７】
それに応じて、上述した機械可読な指令コードを記憶しているプログラム製品をローディングしている記憶媒体も本発明に含まれている。前記記憶媒体は、光ディスク、光磁気ディスク、メモリカード、メモリスティック等を含むが、それらに限らない。
【０１３８】
また、上述した一連の処理及び装置はソフトウェア及び／又はファームウェアにより実現されてもよい。ソフトウェア及び／又はファームウェアにより実現される場合、記憶媒体又はネットワークは、専用ハードウェア構造を有するコンピュータ、例えば、図１７に示す汎用個人コンピュータ１７００に該ソフトウェアを構成するプログラムをインストールし、このコンピュータは各種のプログラムをインストールした後、各種の機能等を実現できる。
【０１３９】
図１７において、中央処理装置（CPU）１７０１は、読取専用記憶媒体（ROM）１７０２に記憶されるプログラム又は記憶部１７０８からランダムアクセスメモリ（RAM）１７０３にローディングするプログラムにより各種の処理を実行する。RAM１７０３は、必要に応じてCPU１７０１が各種の処理を実行する場合に必要なデータをも記憶する。
【０１４０】
CPU１７０１、ROM１７０２及びRAM１７０３はバス１７０４を介して互いに接続される。入力／出力インタフェース１７０５もバス１７０４に接続される。
【０１４１】
キーボード、マウス等を含む入力部１７０６、例えば、陰極線管（CRT）、液晶ディスプレイ（LCD）等のディスプレイ、スピーカー等を含む出力部１７０７、ハードウェア等を含む記憶部１７０８、ネットワークインタフェースカード、例えば、LANカード、モデム等を含む通信部１７０９は、入力／出力インタフェース１７０５に接続される。通信部分１７０９は、ネットワーク、例えば、インターネットを介して通信処理を実行する。
【０１４２】
駆動装置１７１０は必要に応じて入力／出力インタフェース１７０５に接続されてもよい。リムーバブルメディア１７１１、例えば、磁気ディスク、光ディスク、光磁気ディスク、半導体記憶装置等は、必要に応じて駆動装置１７１０に実装され、これにより、それから読み出されるコンピュータプログラムは必要に応じて記憶部１７０８にインストールされる。
【０１４３】
ソフトウェアにより上記一連の処理を実現する場合、ネットワーク、例えば、インターネット、或いは、記憶媒体、例えば、リムーバブルメディア１７１１からソフトウェアを構成するプログラムをインストールする。
【０１４４】
ここで、このような記憶媒体は、図１７に示すプログラムが記憶され、ユーザにプログラムを提供するように装置から分離して配信するリムーバブルメディア１７１１に限らない。リムーバブルメディア１７１１は、例えば、磁気ディスク（フロッピーディスク（登録商標）を含む）、光ディスク（光ディスク読取専用記憶媒体（CD-ROM）及びデジタル多用途ディスク（DVD））、光磁気ディスク（ミニディスク（MD）（登録商標）を含む）及び半導体記憶装置を含む。或いは、記憶媒体は、ROM１７０２、記憶部１７０８に含まれるハードディスク等であってもよく、プログラムを記憶しており、それらを含む装置とともにユーザに配信される。
【０１４５】
ここで、上述した一連の処理を実行するステップは、説明の順序により時間順に実行されてもよいが、必ずしも時間順に実行される必要がない。あるステップは、並列に実行されても互いに独立して実行されてもよい。
【０１４６】
本発明及びその利点を詳しく説明したが、特許請求の範囲に限定される本発明の精神及び範囲から逸脱しない場合に、様々な変形、取替え及び変換をすることができる。さらに、本発明実施例に記載の「備える」、「含む」又は変形は、排他的ではない包括を含むためである。これにより、一連の要素を含む過程、方法、物品又は装置は、それらの要素だけでなく、明確に記載されていない他の要素をさらに含み、或いは、この過程、方法、物品又は装置に固有の要素をさらに含む。さらに数の限定を有しない場合、「１つの・・・を含む」により限定される要素は、前記要素を含む過程、方法、物品又は設備には他の同じ要素がさらに含まれていることを排除しない。
【図１】
0006673426.tif 000002
【図２】
0006673426.tif 000003
【図３】
0006673426.tif 000004
【図４】
0006673426.tif 000005
【図５】
0006673426.tif 000006
【図６Ａ】
0006673426.tif 000007
【図６Ｂ】
0006673426.tif 000008
【図６Ｃ】
0006673426.tif 000009
【図７】
0006673426.tif 000010
【図８】
0006673426.tif 000011
【図９】
0006673426.tif 000012
【図１０】
0006673426.tif 000013
【図１１】
0006673426.tif 000014
【図１２】
0006673426.tif 000015
【図１３】
0006673426.tif 000016
【図１４】
0006673426.tif 000017
【図１５】
0006673426.tif 000018
【図１６】
0006673426.tif 000019
【図１７】
0006673426.tif 000020